(57)【要約】      （修正有）【課題】移動中による衝撃で収容物が移動したり偏ったりするのを防止すると共に、開けたときに収容物である小物類がこぼれ落ちるのを防止できるスーツケースを提供する。【解決手段】縦長または横長の矩形に形成した合成樹脂製のシェル本体２とシェル蓋体１０とを連結具で接続して開閉可能に形成してなるスーツケース１において、シェル本体とシェル蓋体のいずれか一方または双方の開口部３，１１の周縁に、収容物を包み込むそれぞれ合成繊維材で形成した布地またはメッシュ地を三角形状に形成した第１，２，３，４包装片１６，２１，３１，４１からなる中仕切部１５を設ける。【選択図】図２
0003207294.tif 000002
【実用新案登録請求の範囲】
【請求項１】
縦長または横長の矩形に形成した合成樹脂製のシェル本体（２）とシェル蓋体（１０）とを連結具で接続して開閉可能に形成してなるスーツケース（１）において、前記シェル本体（２）とシェル蓋体（１０）のいずれか一方または双方の開口部（３，１１）の周縁に収容物を包み込む複数枚の包装片（１６，２１，３１，４１）からなる中仕切部（１５）を設けてなることを特徴とするスーツケース。
【請求項２】
前記中仕切部（１５）は、合成繊維材で形成した布地またはメッシュ地をそれぞれ三角形状に形成した第１，２，３，４包装片（１６，２１，３１，４１）からなり、各包装片の底辺（１７，２２，３２，４２）を前記シェル本体（２）またはシェル蓋体（１０）の開口部（３，１１）周縁にそれぞれ取付け、互いに対向する第１，２包装片（１６，２１）および第３，４包装片（３１，４１）の頂部（１８，２３，３３，４３）から底辺方向の約半分までそれぞれ重合可能に形成してなることを特徴とする請求項１記載のスーツケース。
【請求項３】
前記中仕切部（１５）は、縦長の矩形に形成したシェル本体（２）またはシェル蓋体（１０）の開口部（３，１１）の長い辺に一対の第１，２包装片（１６，２１）を位置させ、開口部（３，１１）の短い辺に一対の第３，４包装片（３１，４１）を位置させてなることを特徴とする請求項１または２記載のスーツケース。
【請求項４】
前記中仕切部（１５）は、横長の矩形に形成したシェル本体（２）またはシェル蓋体（１０）の開口部（３，１１）の短い辺に一対の第１，２包装片（１６，２１）を位置させ、開口部（３，１１）の長い辺に一対の第３，４包装片（３１，４１）を位置させてなることを特徴とする請求項１または２記載のスーツケース。
【請求項５】
前記第１包装片（１６）は、頂部（１８）から底辺（１７）方向の表面中央線上に第１接続帯部（１９）を取付けてなり、第２包装片（２１）は、頂部（２３）から底辺（２２）方向の裏面中央線上に第２接続帯部（２４）を取付けてなり、前記第１接続帯部（１９）と第２接続帯部（２４）とを着脱可能に形成してなることを特徴とする請求項２ないし４のいずれか１記載のスーツケース。
【請求項６】
前記第１包装片（１６）の表面に設けた第１接続帯部（１９）は、表面に帯状の雌接着部（１９ａ）を設けてなり、第２包装片（２１）の裏面に設けた第２接続帯部（２４）は、表面に帯状の雄接着部（２４ａ）を設けてなることを特徴とする請求項５記載のスーツケース。
【請求項７】
前記第２包装片（２１）の第２接続帯部（２４）は、先端の頂部（２３）附近に輪状にした指掛部（２５）を第２接続帯部（２４）と一体に形成してなることを特徴とする請求項５記載のスーツケース。
【請求項８】
前記第３包装片（３１）は、表面側の略中央に底辺（３２）と平行な補強帯部（３５）を取付け、前記第３包装片（３１）の底辺（３２）の中央から補強帯部（３５）まで第３連結帯部（３６）を縫着し、該第３連結帯部の先端を頂部（３３）方向に延伸させて形成した自由帯部（３７）の先端に雌型ベルト連結具（３９）を取付けてなることを特徴とする請求項２ないし４のいずれか１記載のスーツケース。
【請求項９】
前記第４包装片（４１）は、表面側の略中央に底辺（４２）と平行な補強帯部（４５）を取付け、前記第４包装片（４１）の底辺（４２）の中央から補強帯部（４５）まで第４連結帯部（４６）を縫着し、該第４連結帯部の先端を頂部（４３）方向に延伸させて形成した自由帯部（４７）の先端に取付けた雄型ベルト連結具（４９）と、前記雌型ベルト連結具（３９）とを着脱可能に設けてなることを特徴とする請求項２ないし４または８のいずれか１記載のスーツケース。
【請求項１０】
前記雄型ベルト連結具（４９）は、第４連結帯部（４６）の先端に延伸させた自由帯部（４７）の長さを調節可能に形成してなることを特徴とする請求項９記載のスーツケース。
【考案の詳細な説明】
【技術分野】
【０００１】
本考案は、合成樹脂素材により形成したハードケースからなるスーツケースの改良に関する。
【背景技術】
【０００２】
従来、旅行用の大型かばん、特に弾力性を有する硬質合成樹脂材、例えば、ポリカーボネイト系樹脂材からなるスーツケースは、縦長の略直方体に形成したかばん本体と蓋体とからなるシェルの長手方向片側に蝶番からなる連結部を取付け、反対側の辺に施錠キーを取付けて開閉可能に形成し、さらに、縦長の本体上方には把手部と移動用の伸縮キャリー把手部を取付け、一側面に簡易把手部を設け、底面に移動用のキャスターが取付けられたものが知られている。
【０００３】
前記スーツケースは、半割にしたシェル本体とシェル蓋体内にそれぞれ旅行中に必要な収容物（衣類、ベルト、ネクタイ、洗面用具など）を入れ、それぞれのシェルの開口部付近に取付けた固定バンドで収容物を固定したり、更には、固定バンドの上面に中蓋を取付けて収納物を圧着することにより、スーツケースの開口時に収納物がこぼれ落ちたり、移動中の衝撃やスーツケースの上げ下ろしなどの衝撃で収容物が移動したり、片寄るのを防止すると共に、旅行などで買ったお土産などの破損を防止しているものが知られている（例えば、特許文献１、２）。
【先行技術文献】
【特許文献】
【０００４】
【特許文献１】特開２００２−２８０１９号
【特許文献２】実用第３１１０７１７号
【０００５】
前記発明や考案に示す内蓋は、一辺をシェルの連結部側に枢動可能に連結し、反対側をフックなどで着脱可能に連結して取付けてある。そのため、内蓋の連結部分を除く三辺と、シェルの開口部周縁との間に隙間ができる。さらには、開口部にクロス状に設けた帯状の留ベルトは、シェルを開閉したときに収容物がこぼれ落ちないように収容物を押さえているだけである。そのため、収容した小物類は移動中の衝撃や、空港での荷物の積み下ろしによる衝撃などで、内蓋の隙間からシェル内にこぼれ落ちたり、収容物が移動したり、偏ったりする可能性が大きく、さらには、スーツケースを開けたときに収容物が出てくる恐れがある。
【０００６】
さらには、収容物の固定は、ベルトで抑えて留め、さらに中蓋を被せて留めるなど、二重に収容物を留めているため着脱作業が面倒である。さらにはまた、収容物が多くなると、中蓋が閉まらなくおそれがあるなど、使い勝手が悪く不便であという問題点を有している。
【考案の概要】
【考案が解決しようとする課題】
【０００７】
そこで本考案が解決しようとする課題は、スーツケースのシェル本体またはシェル蓋体の開口部に設けた留ベルトや中蓋の代わりにシェルの各辺に一辺をそれぞれ取付けたカバー片により収容物を風呂敷で包むように収納することにより、移動中による衝撃で収容物が移動したり偏ったりするのを防止すると共に、スーツケースを開けたときに収容物である小物類がこぼれ落ちるのを防止することを目的とする。
【課題を解決するための手段】
【０００８】
本考案は、縦長または横長の矩形に形成した合成樹脂製のシェル本体２とシェル蓋体１０とを連結具で接続して開閉可能に形成してなるスーツケース１において、前記シェル本体２とシェル蓋体１０のいずれか一方または双方の開口部３，１１の周縁に収容物を包み込む複数枚の包装片１６，２１，３１，４１からなる中仕切部１５を設けてなることを特徴とする。また、前記中仕切部１５は、合成繊維材で形成した布地またはメッシュ地をそれぞれ三角形状に形成した第１，２，３，４包装片１６，２１，３１，４１からなり、各包装片の底辺１７，２２，３２，４２を前記シェル本体２またはシェル蓋体１０の開口部３，１１周縁にそれぞれ取付け、互いに対向する第１，２包装片１６，２１および第３，４包装片３１，４１の頂部１８，２３，３３，４３から底辺方向の約半分までそれぞれ重合可能に形成してなることを特徴とする。さらに、前記中仕切部１５は、縦長の矩形に形成したシェル本体２またはシェル蓋体１０の開口部３，１１の長い辺に一対の第１，２包装片１６，２１を位置させ、開口部３，１１の短い辺に一対の第３，４包装片３１，４１を位置させてなることを特徴とする。さらにはまた、前記中仕切部１５は、横長の矩形に形成したシェル本体２またはシェル蓋体１０の開口部３，１１の短い辺に一対の第１，２包装片１６，２１を位置させ、開口部３，１１の長い辺に一対の第３，４包装片３１，４１を位置させてなることを特徴とする。また、前記第１包装片１６は、頂部１８から底辺１７方向の表面中央線上に第１接続帯部１９を取付けてなり、第２包装片２１は、頂部２３から底辺２２方向の裏面中央線上に第２接続帯部２４を取付けてなり、前記第１接続帯部１９と第２接続帯部２４とを着脱可能に形成してなることを特徴とする。さらに、前記第１包装片１６の表面に設けた第１接続帯部１は、表面に帯状の雌接着部１９ａを設け、第２包装片２１の裏面に設けた第２接続帯部２４は、表面に帯状の雄接着部２４ａを設けてなることを特徴とする。さらにはまた、前記第２包装片２１の第２接続帯部２４は、先端の頂部２３附近に輪状にした指掛部２５を第２接続帯部２４と一体に形成してなることを特徴とする。また、前記第３包装片３１は、表面側の略中央に底辺３２と平行な補強帯部３５を取付け、前記第３包装片３１の底辺３２の中央から補強帯部３５まで第３連結帯部３６を縫着し、該第３連結帯部の先端を頂部３３方向に延伸させて形成した自由帯部３７の先端に雌型ベルト連結具３９を取付けてなることを特徴とする。さらに、前記第４包装片４１は、表面側の略中央に底辺４２と平行な補強帯部４５を取付け、前記第４包装片４１の底辺４２の中央から補強帯部４５まで第４連結帯部４６を縫着し、該第４連結帯部の先端を頂部４３方向に延伸させて形成した自由帯部４７の先端に取付けた雄型ベルト連結具４９と、前記雌型ベルト連結具３９とを着脱可能に設けてなることを特徴とする。さらにはまた、前記雄型ベルト連結具４９は、第４連結帯部４６の先端に延伸させた自由帯部４７の長さを調節可能に形成してなることを特徴とする。
【０００９】
したがって、スーツケース１のシェル本体２とシェル蓋体１０の開口部３，１１付近の各辺に取付けた三角形状をした複数枚の第１，２，３，４包装片１６，２１，３１，４１からなる中仕切部１５を設けたことにより、前記シェル本体２とシェル蓋体１０内に収容する収容物を中仕切部１５で包むように包装して収容することができるので、移動中の衝撃や空港でのスーツケースの積み下ろし時の衝撃などで収容物が移動したりずれたりすることなく安定して収納することができる。さらには、収容物全体を包み込むため、スーツケース１を開けたとき、スーツケースのシェル本体２の隙間から収容物がこぼれ落ちるおそれがない。また、中仕切部１５は、それぞれ三角形状に形成した４枚の包装片１６，２１，３１，４１からなり、該包装片の底辺を開口部の各辺に取付け、各包装片の頂部から底辺方向の半分付近まで互いに重合可能に形成したことにより、収容物の量に合わせて広げたり狭めたりすることができるので、収容物を確実に包み込むことができる。中仕切部１５の包み込み操作は、第１，２包装片１６，２１を重ねた表面を第１，２接続帯部１９，２４で着脱可能に包装し、さらに第３，４包装片３１，４１を重ねて雌雄一体型のベルト連結具３９，４９で留めることにより、収容物を確実に包み込んで収納してあるため、スーツケースを立てたままシェル本体２とシェル蓋体を開いても収容物が落下するのを防止することができる。  
【図面の簡単な説明】
【００１０】
【図１】本考案にかかるスーツケースの斜視図である。
【図２】本考案にかかるスーツケースを開口した状態を示すシェル本体とシェル蓋体の斜視図である。
【図３】中仕切部を取付けたシェル本体の拡大平面図である。
【図４】シェル本体に取付けた中仕切部の各片を開いた状態の平面図である。
【図５】第１包装片を畳んだ状態を示す平面図である。
【図６】第１包装片に第２包装片を重ねた状態を示す平面図である。
【図７】第３，４包装片にそれぞれ取付けたベルト連結具を結束した状態を示す断面図である。
【図８】第３包装片に取付けた雌ベルト連結具を示す模式図である。
【図９】第４包装片に取付けた雄ベルト連結具を示す模式図である。
【図１０】各包装片の底辺をシェル本体の開口部に取付けた状態を示す要部拡大断面図である。
【考案を実施するための形態】
【００１１】
本考案の実施の形態を図面に基づいて説明すると、図１は本考案にかかるスーツケースの斜視図、図２は本考案にかかるスーツケースを開口した状態を示すシェル本体とシェル蓋体の斜視図、図３は中仕切部を取付けたシェル本体の平面図、図４はシェル本体に取付けた中仕切部の各片を開いた状態の平面図である。本考案にかかるスーツケース１は、弾力性を有する硬質合成樹脂材、例えば、ポリカーボネイト系樹脂材からなり、それぞれ半割にしたシェル本体２とシェル蓋体１０の一側に蝶番からなる連結具（図示せず）で連結し、他側に閉じたシェル本体２とシェル蓋体１０とを閉口してロックする錠前部８を取付けてある。
【００１２】
前記シェル本体２は、図１，２に示すごとく、上面に把手部５と移動用の伸縮把手部６とを備え、下面に移動用のキャスター７を取付けてなり、半割にした開口部３の周縁に中仕切部１５を取付け、前記シェル蓋体１０は、縦長に位置した下面に移動用のキャスター１２を取付けてなり、半割にした開口部１１の周縁に中仕切部１５を取付けてある。
【００１３】
前記中仕切部１５は、前記シェル本体２とシェル蓋体１０、またはいずれか一方の開口部３、１１周縁に収容物を包み込む合成繊維材で形成した布地またはメッシュ地を三角形状に形成した第１，２，３，４包装片１６，２１，３１，４１からなり、各包装片の三角形状の底辺１７，２２，３２，４２を前記シェル本体２またはシェル蓋体１０の開口部３，１１の周縁にそれぞれ取付け、対向する第１，２包装片１６，２１および第３，４包装片３１，４１の頂部１８，２３，３３，４３から約半分までそれぞれ互いに重合可能に形成してある。
【００１４】
前記中仕切部１５は、シェル本体２またはシェル蓋体１０の開口部３，１１の長い辺または短い辺に第１，２包装片１６，２１を対向させて位置し、開口部の短い辺または長い辺に対向させて第３，４包装片３１，４１を位置させてある。この第１，２，３，４包装片１６，２１，３１，４１の取付け位置は、スーツケースの形状に合わせて互いに対向する辺に第１，２包装片１６，２１または第３，４包装片３１，４１を取付けてある。
【００１５】
前記第１包装片１６は、図５に示すごとく、三角形状の頂部１８から底辺１７方向の表面中央線上に第１接続帯部１９を縫着してなり、第２包装片２１は、三角形の頂部２３から底辺２２方向の裏面中央線上に第２接続帯部２４を縫着してなり、前記第１接続帯部１９と第２接続帯部２４に設けた接着部１９ａ，２４ａを着脱可能に形成してある。
【００１６】
前記第１，２接続帯部１９，２４に取付けた接着部１９ａ，２４ａは、公知の接着手段である面状ファスナーからなり、一方の接着帯部１９の表面にループ状の起毛面を形成した雌接着部１９ａを取付け、他方の接着帯部２４の表面に先端を鍵状に形成した多数の突起を起毛させた雄接着部２４ａを設け、互いの雌接着部１９ａと雄接着部２４ａを着脱可能に係合してある。この雌雄接着部１９ａ，２４ａの取付け位置は、前記位置に限定されず、それぞれ反対側の接続帯部に取付けてもよいことは勿論である。
【００１７】
前記第２包装片２１は、図４，５に示すごとく、頂部２３に位置する第２接続帯部２４の先端を輪状に形成した指掛部２５を一体に設け、該指掛部に指を通して第２接続帯部２４を引き上げ可能に形成してある。前記第１接続帯部１９と第２接続帯部２４とを面接触により接合してあるため簡単に剥すことが困難である。そこで、第２包装片２１の頂部２３付近に指掛部２５を設け、該指掛部に指を通して引き上げることにより、第１接続帯部１９から第２接続帯部２４を簡単に引きはがすことができる。
【００１８】
前記第３包装片３１は、図３に示すごとく、三角形状の中央部分の表面側に底辺３２と平行な補強帯部３５を取付け、前記第３包装片３１の底辺３２の中央に一端を取付けた第３連結帯部３６を前記補強帯部３５まで縫着し、さらに該補強帯部から頂部３３方向に第３連結帯部３６を第３包装片３１に縫着せずに延伸させた自由帯部３７を形成し、該自由帯部の先端に雌雄一対型の連結具の一方、例えば、雌型ベルト連結具３９を取付けてある。
【００１９】
前記第４包装片４１は、図３に示すごとく、三角形状の中央部分の表面側に底辺４２と平行な補強帯部４５を取付け、第４包装片４１の底辺４２の中央に一端を取付けた第４連結帯部４６を前記補強帯部４５に重なるように縫着し、さらに第４連結帯部４６の先端を前記第４包装片４１に縫着せずに補強帯部４５から頂部４３方向に延伸させた自由帯部４７を形成し、該自由帯部の先端に雌雄一対型の連結具の他方、例えば、雄型ベルト連結具４９を取付けてある。
【００２０】
前記ベルト連結具３９，４９は、第３，４連結帯部３６，４６に設けた自由帯部３７，４７の先端に取付けたことにより、第３，４包装片３１，４１の補強帯部３５，４５から頂部３３，４３方向を互いに重合させることができるので、収容物の量により互いに深く重合させたり浅く重合させたりして調整可能に形成してある。
【００２１】
さらに、前記雄型ベルト連結具４９は、第４連結帯部４６の先端に延伸させた自由帯部４７を環回して連結し、自由帯部４７の一端を延ばしたり、引っ張ったりすることにより第４連結帯部４６の長さを調節可能に形成してある。  
【００２２】
前記中仕切部１５をシェル本体２またはシェル蓋体１０へ取付ける場合、図１０に示すごとく、シェル本体２の開口部３に取付けたシェル枠体４の内側に内装生地５１と、各第１，２，３，４包装片１６，２１，３１，４１の底辺１７，２２，３２，４２と、中央に芯線を収容した固定帯片５３とを重ねて開口部３の内周縁に位置させ、該開口部の内側から底辺１７と内装生地５１と固定帯片５３とを圧着板５５で圧着固定して取付けてある。
【００２３】
以下、本考案の実施の形態の作用について説明すると、全体を縦長または横長の矩形に形成した合成樹脂製のシェル本体２とシェル蓋体１０とを連結具で接続して開閉可能に形成してなるスーツケース１において、前記シェル本体２とシェル蓋体１０のいずれか一方または双方の開口部３，１１の周縁に収容物を包み込む４枚の第１，２，３，４包装片１６，２１，３１，４１からなる中仕切部１５を設け、シェル本体２またはシェル蓋体１０に収容した収容物を風呂敷で包むように覆うことにより、スーツケースを立てた状態でシェル本体２とシェル蓋体１０を開口しても収容物が落下しないので、確実に包むことができる。
【００２４】
前記中仕切部１５は、合成繊維材で形成した布地またはメッシュ地を三角形状に形成した第１，２，３，４包装片１６，２１，３１，４１からなるため、スーツケースの軽量化を図ることができると共に、取付けが簡単で費用も安価で経済的である。
【００２５】
シェル本体２に収容した収容物の包装は、図４に示すごとく、４枚の包装片１６，２１，３１，４１をそれぞれ広げてシェル本体２内に収容物を収容しやすくし、次いで、シェル本体２内に収容物を整頓しながら収容する。収容物を収容後、第１包装片１６を荷物の上から被せ、該第１包装片１６の上に反対側から第２包装片２１を被せる。
【００２６】
その際、第１接続帯部１９の上面に設けた雌接着部１９ａと第２接続帯部２４に設けた雄接着部２４ａとを重ねるだけのワンタッチで簡単に接合させることができるので第１包装片１６と第２包装片２１の重合部分が外れたり、ズレたりするおそれがない。この第１包装片１６と第２包装片２１との重合は、雌雄接着部１９ａ，２４ａを帯状の長尺に形成してあるため、収容物の量により互いに深く重合させたり浅く重合させたりして接着位置を調節可能に形成してある。
【００２７】
さらに、重合した第１包装片１６と第２包装片２１の上から第３包装片３１と第４包装片４１をそれぞれ重ね、第３連結帯部３６の先端に取付けた雌型ベルト連結具３９と、第４連結帯部４６の先端に取付けた雄型ベルト連結具４９とを連結して固定する。したがって、第１，２，３，４包装片１６，２１，３１，４１で四方から収容物全体を風呂敷で包むので、安定して包装することができる。
【００２８】
前記第３，４連結帯部３６，４６は、第３，４包装片３１，４１の表面で補強帯部３５，４５までを縫着し、該補強帯部から延伸させた自由帯部３７，４７を第３，４包装片３１，４１の表面に縫着せずにフリーにしたことにより、補強帯部３５，４５から頂部３３，４３方向を互いに重合可能にすることができるので、収容物の量により互いに深く重合させたり浅く重合させたり調整可能に形成してある。
【００２９】
前記自由帯部３７，４７の先端に取付けた雌雄ベルト連結具３９，４９は、第３包装片３１と第４包装片４１とを重ねた後に連結することにより、中仕切部１５全体と収容物全体を締着することができる。
【００３０】
雄型ベルト連結具４９に環回して伸縮可能に連結した自由帯部４７は、収容物の量により自由帯部４７を伸縮させて第３包装片３１と第４包装片４１との重合部分を延ばしたり、緩みを締めたりすることにより収容物全体を安定して収納することができる。したがって、収容物が移動中の衝撃や、空港での荷物の積み下ろしによる衝撃などで移動したり、ズレたりすることなくしっかりと固定することができる。さらには、収容物が安定して収納されているため、スーツケースを明けたときにも、収容物がこぼれ出るおそれがないので安心して開口することができる。
【００３１】
前記したごとく、中仕切部１５を構成する各包装片１６，２１，３１，４１は、三角形状の底辺１７，２２，３２，４２を前記シェル本体２またはシェル蓋体１０の開口部３，１１周縁にそれぞれ取付け、互いに対向する第１，２包装片１６，２１および第３，４包装片３１，４１の先端から約半分までをそれぞれ四方から重合可能に形成したことにより、収容する収容物の量により、重合部分を伸縮させて包装することができるので、シェル本体２に収容可能な量の収容物であるならば十分に包装して収納することができる。
【符号の説明】
【００３２】
１    スーツケース
２    シェル本体
３    開口部
５    把手部
６    移動用伸縮把手部
７    キャスター
８    錠前部
１０  シェル蓋体
１１  開口部
１２  キャスター
１５  中仕切部
１６  第１包装片
１７  底辺
１８  頂部
１９  第１接続帯部
２１  第２包装片
２２  底辺
２３  頂部
２４  第２接続帯部
２５  指掛部
３１  第３包装片
３２  底辺
３３  頂部
３５  補強帯部
３６  第３連結帯部
３７  自由帯部
３９  雌ベルト連結具
４１  第４包装片
４２  底辺
４３  頂部
４５  補強帯部
４６  第４連結帯部
４７  自由帯部
４９  雄ベルト連結具
【図１】
0003207294.tif 000003
【図２】
0003207294.tif 000004
【図３】
0003207294.tif 000005
【図４】
0003207294.tif 000006
【図５】
0003207294.tif 000007
【図６】
0003207294.tif 000008
【図７】
0003207294.tif 000009
【図８】
0003207294.tif 000010
【図９】
0003207294.tif 000011
【図１０】
0003207294.tif 000012